(57)【要約】【課題】多数の紙パック商品の集合包装体の上面に、安定状態で被るカバーを提供する。【解決手段】集合包装体２１の上面に被せるカバーにおいて、天板１０の四周に同一高さの側板１１〜１４を、折り畳み線ｆを介して連設し、上記天板１０の対抗辺に連接した側板１２，１４の両端に、上記側板の高さに相当する寸法より狭い幅の糊代片１５を、折り畳み線ｇを介して連設し、この糊代片に続いて上記糊代片の裏側に折り返して貼り付けられる折り返し片１６ａと下記条件に適合する折り起し片１６ｂを設けたものである。        記  Ｗ3＞Ｗ0−Ｗ1ただし、Ｗ0：糊代片の幅、  Ｗ1：折り返し片の幅、  Ｗ3：折り起し片の幅  なお、上記折り起し片の高さを、紙パックの頂部から肩までの寸法差とすることが望ましい。【選択図】図１
2005306468.tif 000002
【特許請求の範囲】
【請求項１】
集合包装体の上面に被せるカバーにおいて、天板の四周に同一高さの側板を、折り畳み線を介して連設し、上記天板の対抗辺に連接した側板の両端に、上記側板の高さに相当する寸法より狭い幅の糊代片を、折り畳み線を介して連設し、この糊代片に続いて上記糊代片の裏側に折り返して貼り付けられる折り返し片と下記条件に適合する折り起し片を設けたことを特徴とする集合包装体用カバー。
記
Ｗ3＞Ｗ0−Ｗ1
ただし、Ｗ0：糊代片の幅、  Ｗ1：折り返し片の幅、  Ｗ3：折り起し片の幅
【請求項２】
集合包装体の上面に被せるカバーにおいて、天板の対向する側縁に同一高さの側板を、折り畳み線を介して連設し、他の対向する側縁に、上記側板と同一高さの外側板と、内側板を、折り畳み線を介して連設し、上記外側板の両端に糊代片を、折り畳み線を介して付設し、上記内側板の両端角部に下記条件に適合した折り起し片を付設したことを特徴とする集合包装体用カバー。
記
Ｗ3＞Ｗ2
ただし、Ｗ2：スリットの長さ、  Ｗ3：折り起し片の幅
【請求項３】
上記折り起し片の高さを、集合包装体の頂部から、被包装商品の肩部たまはトレー状外箱の上縁までの寸法と同じか僅かに大きくしたことを特徴とする請求項1または２に記載の集合包装体用カバー。
【発明の詳細な説明】
【技術分野】
【０００１】
この発明は、紙パック包装体の如きものを５個または４個を並べて帯び掛けし、これをさらに数個帯び掛けした集合包装体に被せる化粧カバーに関する。
【背景技術】
【０００２】
商品の包装形態はいろいろあって、牛乳やジュースなどの紙パック商品を、４個、５個あるいは６個を帯び掛けし、この帯び掛けしたものをさらに５個、４個纏めて帯び掛けして２０個、２４個とするもの、あるいは、上記のように帯掛けした商品を上部を解放したトレー状のケースに収容するものがある。
【発明の開示】
【発明が解決しようとする課題】
【０００３】
上記包装方式では、包装経費の節約の面では充分満足できるものであるが、これを贈答用とするときは、その集合包装体の上に熨斗紙を貼り付けて客先の指示に従って配送することとなるが、配送中に熨斗紙が破れてしまう恐れがあり、それを回避するために集合包装体の上面寸法に合わせたボール紙、段ボールに熨斗紙を貼り付けて集合包装体上に載せてゴムバンドで止めるなどしていた。
【０００４】
上記の如くして熨斗紙を貼り付けて配達したとしても、配達中に熨斗紙を貼り付けたボール紙が位置ずれして体裁の悪いものとなることもあり、また、上記のように位置ずれしないようにするために、ボール紙の四周を折り曲げて側板を形成し、帯び掛けした集合包装体に被せるようにしたものもあるが、上記紙パックの集合包装体は、頂部が山形になっているため収まりが悪く不安定である。
【０００５】
以上の問題に鑑みこの発明は、紙パック商品に帯び掛けした集合包装体の上面に、安定状態で被せることができるカバーを提供することを課題とする。
【課題を解決するための手段】
【０００６】
上記課題を解決するためにこの発明は、集合包装体の上面に被せるカバーにおいて、天板の四周に同一高さの側板を、折り畳み線を介して連設し、上記天板の対抗辺に連接した側板の両端に、上記側板の高さより低い糊代片を、折り畳み線を介して連設し、この糊代片に続いて上記糊代片の裏側に折り返して貼り付けられる折り返し片と下記条件に適合する折り起し片を設けたものと、
記
Ｗ3＞Ｗ0−Ｗ1
ただし、Ｗ0：糊代片の幅、  Ｗ1：折り返し片の幅、  Ｗ3：折り起し片の幅
集合包装体の上面に被せるカバーにおいて、天板の対向する側縁に同一高さの側板を、折り畳み線を介して連設し、他の対向する側縁に、上記側板と同一高さの外側板と、内側板を、折り畳み線を介して連設し、上記外側板の両端に糊代片を、折り畳み線を介して付設し、上記内側板の先端両端に下記条件に適合した折り起し片を付設したものである。
記
Ｗ3＞Ｗ2
ただし、Ｗ2：スリットの長さ、  Ｗ3：折り起し片の幅
また、上記折り起し片の高さを、集合包装体の頂部から、被包装商品の肩部たまはトレー状外箱の上縁までの寸法と同じか僅かに大きくすることが望ましい。
【発明の効果】
【０００７】
上記の如く構成するこの発明によれば、天板の四周に連設した側板を起す（箱起し）と自動的にカバーの内側コーナーに折り起し片が起き、このカバーを紙パックのような集合包装体の上に載せると、上記折り起し片が集合包装体の四隅の段差部分に当接し、安定した状態でカバーが施される。従って、熨斗紙などを貼り付けたとき体裁のよい状態となる。
【発明を実施するための最良の形態】
【０００８】
次にこの発明の実施形態を、図面を参照しながら説明する。
【実施例１】
【０００９】
図１（ａ）は一実施例の展開形状のブランクで、天板１０の四周に同一高さの側板１１，１２，１３，１４を、折り畳み線ｆを介して連設し、上記天板１０の対抗辺に連接した側板１２，１４の両端に、上記側板１１〜１４の高さの寸法より狭い幅の糊代片１５を、折り畳み線ｇを介して連設し、この糊代片１５に続いて上記糊代片１５の裏側に折り返して貼り付けられる折り返し片１６ａと下記条件に適合する折り起し片１６ｂを設けたものである。
記
Ｗ3≧√２・Ｗ0−Ｗ1
ただし、Ｗ0：糊代片１５の幅、  Ｗ1：折り返し片１６ａの幅、  Ｗ3：折り起し片１６ｂの幅
なお、上記条件は標準的なもので、Ｗ3＞Ｗ0−Ｗ1であれば実用可能である。
【００１０】
上記展開形状のブランクを同図（ｂ）のように、折り起し片１６を折り畳んで糊代片１５に接着部分１６ａを接着し、折り起し部分１６ｂをフリーの状態にし、この状態で側板１２，１４を起こして糊代片１５を折り畳み、次いで側板１１，１３を起して糊代片１５と側板１１，１３両端とを接着すると、折り起し片１６の折り起し部分１６ｂの先端が側板１１，１３の内面に突き当たって起き上がる。
【００１１】
上記の如くしてなるカバー２０を集合包装体２１の上に被せると、図３に示すように、カバーの内面四隅にできた折り起し片１６が、紙パックの肩部分に当接して安定状態で集合包装体２１の上部に被り熨斗紙を貼り付けたときも体裁のよい状態となる。
【実施例２】
【００１２】
図２（ａ）は第二実施例の展開状態のブランクを示し、天板１０の図面の上で、対向する左右側縁には同一高さの側板１１，１３を、折り畳み線ｆを介して連設し、対向する上下側縁には、上記側板と同一高さの外側板１２ａ，１４ａと、外側板より僅かに低い内側板１２ｂ，１４ｂを、折り畳み線ｆ，ｆ’を介して連設し、上記外側板１２ａ，１４ａの両端に糊代片１５を、折り畳み線ｇを介して付設し、上記内側板１２ｂ，１４ｂの両端角部に下記条件に適合した折り起し片１６を付設し、上記内側板１２ｂ，１４ｂと折り起し片１６との境目にスリット１７が形成されてなるものである。
記
Ｗ3≧√２・Ｗ2
ただし、Ｗ2：スリット１７の長さ、  Ｗ3：折り起し片１６の幅
なお、上記条件は標準的なもので、Ｗ3＞Ｗ2であれば実用可能である。
【００１３】
なお、上記折り起し片１６の高さを、紙パックの頂部から肩までの寸法差または僅かに大きくすることが望ましい。
【００１４】
上記の如くしてなるカバー２０を集合包装体２１の上に被せると、図３に示すように、カバー２０の内面四隅にできた折り起し片１６が、紙パック１８の肩部分１９に当接して安定状態で集合包装体２１の上部に被り熨斗紙を貼り付けたときも体裁のよい状態となる。また、この実施例の場合側壁が二重構造になっているので高級感が得られる。
【実施例３】
【００１５】
この実施例は、集合包装体の上面が平らになっており、帯掛けした集合包装体を、上面を解放したトレー状のケース２０ｂに収容した場合のもので、カバー２０そのものの全体形状は上記各実施例と同じである。
【００１６】
この実施例の場合、折り起し片１６の高さが集合包装体２１の上面からトレー状のケース２０ｂの上縁までの寸法と同一か僅かに大きくする。短いときは、カバーを集合包装体２１に被せたとき不安定な状態になる。なお、この実施形態の場合は、被包装体の頂部が三角屋根状になっているものでも採用することができる。
【産業上の利用可能性】
【００１７】
以上説明したようにこの発明によれば天板の四周に連設した側板を起してカバーとする過程で、カバー内面の四隅に折り起しが自動的に形成され、この状態のカバーを紙パックのように上部が三角屋根状になった商品の集合包装体に被せると、上記折り起し部分が集合包装された紙パックの肩に当接して安定状態で被り、贈答用商品として熨斗紙を貼り付けて体裁よくすることができるので産業上の利用価値は極めて高いものといえる。
【図面の簡単な説明】
【００１８】
【図１】（ａ）第一実施例に係るブランクの平面図、（ｂ）同組立てた状態の斜視図
【図２】（ａ）第二実施例に係るブランクの平面図、（ｂ）組立てた状態の斜視図
【図３】（ａ）本発明のカバーを紙パックの集合包装体に適用した状態の斜視図、（ｂ）同平面図、（ｃ）同正面図
【図４】（ａ）第三実施例に係るカバーの断面図、（ｂ）集合包装体がトレー状ケース収容された状態の断面図、（ｃ）トレー状ケースにカバーが被せられた状態の断面図
【符号の説明】
【００１９】
１０  天板
１１，１２，１３，１４  側板
１２ａ，１４ａ  外側板
１２ｂ，１４ｂ  内側板
１５  糊代片
１６  折り起し片
１６ａ  折り起し片の接着部分
１６ｂ  折り起し部分
１７  スリット
１８  紙パック
１９  肩部分
２０  カバー
２０ｂ  トレー状のケース
２１  集合包装体
ｆ，ｆ’，ｇ  折り畳み線
【図１】
2005306468.tif 000003
【図２】
2005306468.tif 000004
【図３】
2005306468.tif 000005
【図４】
2005306468.tif 000006